(57)【特許請求の範囲】
【請求項１】
床梁に複数の床小梁を横架した床構造に断熱性を持たせる床断熱構造であって、
前記床梁に横架された複数の床小梁と前記床梁との各接合部にそれぞれ設置された下部に受け部を有する受け具と、
前記複数の床小梁の下部と前記受け具の受け部との間に支持されて設置された板状の断熱材とを備えていることを特徴とする床断熱構造。
【請求項２】
前記床構造に中間梁で仕切られた断熱性を持たせない部分が有る場合、前記中間梁の前記床小梁が接合された部位では、当該中間梁に、下部に受け部を有する中間受け具が設置されており、前記板状の断熱材は、前記複数の床小梁の下部と前記受け具及び前記中間受け具の受け部との間に支持され設置されていることを特徴とする請求項１記載の床断熱構造。
【請求項３】
前記受け具は、前記床小梁と前記床梁との前記接合部に嵌め込んで前記板状の断熱材を支持する支持部と、当該支持部の両下端部に設けられて前記板状の断熱材の下面を受ける受け部とから構成されていることを特徴とする請求項１又は２に記載の床断熱構造。
【請求項４】
前記中間受け具は、前記中間梁にその上端部を接合されて前記板状の断熱材を支持する支持部と、当該支持部の下端部に設けられて前記板状の断熱材の下面を受ける受け部とから構成されていることを特徴とする請求項２又は３に記載の床断熱構造。
【請求項５】
前記複数の床小梁の各間において、前記板状の断熱材の上面に、梁間断熱材が設けられていることを特徴とする請求項１乃至４のいずれか一項に記載の床断熱構造。
【請求項６】
床梁に複数の床小梁を横架した床構造に断熱性を持たせる床断熱工法であって、
前記床梁に横架された複数の床小梁と前記床梁との各接合部に、その上方から下部に受け部を有する受け具をそれぞれ設置する受け具設置工程と、
前記複数の床小梁の下部と前記受け具の受け部との間に、板状の断熱材を前記床小梁と直交する横方向から挿入して支持させる板状断熱材設置工程とから成ることを特徴とする床断熱工法。
【請求項７】
前記床構造に中間梁で仕切られた断熱性を持たせない部分が有る場合、前記受け具設置工程において、前記中間梁の前記床小梁が接合された部位では、当該中間梁に、下部に受け部を有する中間受け具を設置し、前記板状断熱材設置工程においては、前記複数の床小梁の下部と前記受け具及び前記中間受け具の受け部との間に、前記板状の断熱材を前記床小梁と直交する横方向から挿入して支持させることを特徴とする請求項６記載の床断熱工法。
【請求項８】
前記板状断熱材設置工程の後に、前記複数の床小梁の各間において、前記板状の断熱材の上面に、梁間断熱材を設置することを特徴とする請求項６又は７に記載の床断熱工法。
【発明の詳細な説明】
【技術分野】
【０００１】
本発明は、床梁に複数の床小梁を横架した床構造に断熱性を持たせる床断熱構造及び床断熱工法に関するものである。
【背景技術】
【０００２】
従来、床梁に複数の床小梁を横架した床構造の全面に断熱性を持たせるには、この床構造を構成する複数の床小梁とこれら床小梁の各間の床根太に断熱材を被覆していた（例えば特許文献１等を参照）。
【特許文献１】特許第３８７１４１９号公報
【発明の開示】
【発明が解決しようとする課題】
【０００３】
しかしながら、上記した従来の床断熱構造及び工法では、各床小梁間の床根太と各床小梁に対して、個々に断熱材を被覆して設置していたので、その設置作業に手間が掛かっていた。
【０００４】
そこで、本発明は、床構造の全面に断熱性を持たせるに際し、施工性に優れた床断熱構造及び床断熱工法を提供することを目的としている。
【課題を解決するための手段】
【０００５】
前記目的を達成するために、本発明の床断熱構造は、床梁に複数の床小梁を横架した床構造に断熱性を持たせる床断熱構造であって、前記床梁に横架された複数の床小梁と前記床梁との各接合部にそれぞれ設置された下部に受け部を有する受け具と、前記複数の床小梁の下部と前記受け具の受け部との間に支持されて設置された板状の断熱材とを備えていることを特徴とする。
【０００６】
また、前記床構造に中間梁で仕切られた断熱性を持たせない部分が有る場合、前記中間梁の前記床小梁が接合された部位では、当該中間梁に、下部に受け部を有する中間受け具が設置されており、前記板状の断熱材は、前記複数の床小梁の下部と前記受け具及び前記中間受け具の受け部との間に支持され設置されていてもよい。
【０００７】
ここで、前記受け具は、前記床小梁と前記床梁との前記接合部に嵌め込んで前記板状の断熱材を支持する支持部と、当該支持部の両下端部に設けられて前記板状の断熱材の下面を受ける受け部とから構成されていてもよい。
【０００８】
また、前記中間受け具は、前記中間梁にその上端部を接合されて前記板状の断熱材を支持する支持部と、当該支持部の下端部に設けられて前記板状の断熱材の下面を受ける受け部とから構成されていてもよい。
【０００９】
また、前記複数の床小梁の各間において、前記板状の断熱材の上面に、梁間断熱材が設けられていてもよい。
【００１０】
さらに、本発明の床断熱工法は、床梁に複数の床小梁を横架した床構造に断熱性を持たせる床断熱工法であって、前記床梁に横架された複数の床小梁と前記床梁との各接合部に、その上方から下部に受け部を有する受け具をそれぞれ設置する受け具設置工程と、前記複数の床小梁の下部と前記受け具の受け部との間に、板状の断熱材を前記床小梁と直交する横方向から挿入して支持させる板状断熱材設置工程とから成ることを特徴とする。
【００１１】
また、前記床構造に中間梁で仕切られた断熱性を持たせない部分が有る場合、前記受け具設置工程において、前記中間梁の前記床小梁が接合された部位では、当該中間梁に、下部に受け部を有する中間受け具を設置し、前記板状断熱材設置工程においては、前記複数の床小梁の下部と前記受け具及び前記中間受け具の受け部との間に、前記板状の断熱材を前記床小梁と直交する横方向から挿入して支持させてもよい。
【００１２】
また、前記板状断熱材設置工程の後に、前記複数の床小梁の各間において、前記板状の断熱材の上面に、梁間断熱材を設置してもよい。
【発明の効果】
【００１３】
このように構成された本発明の床断熱構造及び床断熱工法は、板状の断熱材を、複数の床小梁の下部と、床小梁と床梁との各接合部にそれぞれ設置された受け具の受け部との間に支持して設置する構成なので、床構造の略全面に断熱性を持たせることができるうえに、施工性に優れている。
【００１４】
また、複数の床小梁の各間において、前記板状の断熱材の上面に、梁間断熱材を設置する場合は、この梁間断熱材として安価な繊維系断熱材を使用できるので、経済的により断熱性を高めることができる。
【００１５】
さらに、床構造に中間梁で仕切られた断熱性を持たせない部分が有る場合にも、中間梁の床小梁が接合された部位では、この中間梁に、下部に受け部を有する中間受け具を設置し、板状の断熱材を、複数の床小梁の下部と受け具及び中間受け具の受け部との間に支持して設置する構成なので、床構造の必要な面に断熱性を持たせることができる。
【発明を実施するための最良の形態】
【００１６】
以下、本発明の床断熱構造及び床断熱工法を実現する最良の形態を、図面に示す実施例１〜４に基づいて説明する。
【実施例１】
【００１７】
先ず、実施例１の床断熱構造について説明する。
【００１８】
実施例１の床断熱構造は、図１〜図３に示したように、床梁１に複数の床小梁２，・・・を横架した床構造の略全面に断熱性を持たせる床断熱構造である。複数の床小梁２，・・・と床梁１との各接合部としての接合部材５，・・・にそれぞれ設置された下部に受け部３ａを有する受け具３，・・・と、複数の床小梁２，・・・下部の下面と受け具３，・・・の受け部３ａ，・・・との間に支持されて設置された板状の断熱材４とを備えた構成とされている。
【００１９】
ここで、床小梁２は、角型鋼であるが、これに限らず、Ｃ型鋼などでもよい。
【００２０】
また、接合部材５は、図２に示したように、短尺のＣ型鋼であり、その凹部をＣ型鋼の床梁１の凹部に向かい合わせで嵌め込んで溶接接合等で接合され、複数の床小梁２，・・・と床梁１との接続部を形成している。
【００２１】
さらに、受け具３は、図２〜図４に示したように、床小梁２端部の上側の突出部において、接合部材５の上側フランジ部５ａ及びウェブ部５ｂの両側端面に嵌め込んで板状の断熱材４を支持するコ字型の支持部３ｂと、この支持部３ｂの両下端部に設けられて板状の断熱材４の下面を受ける矩形状の受け部３ａ，３ａと、支持部３ｂに設けられ、この受け具３を接合部材５のウェブ部５ｂに係止する係止片３ｃ，３ｃとから構成されている。
【００２２】
ここで、この受け具３の支持部３ｂの上辺部分の長さは、接合部材５の上側フランジ部５ａの長さにこの支持部３ｂの肉厚を加えた長さである。また、支持部３ｂの縦辺部分の長さは、床小梁２の端面と接合部材５のウェブ部５ｂとの重なり部分の長さに板状の断熱材４の厚さを加えた長さである。
【００２３】
また、この受け具３は、金属製のものが好適に使用されるが、これに限定されず、プラスチック製のものなども使用できる。
【００２４】
さらに、板状の断熱材４としては、通常の断熱材に使用される押出法ポリスチレンフォーム製のものが好適に使用される。但し、この板状の断熱材４は、必要とされる断熱性能と強度を発揮するものであればよいので、押出法ポリスチレンフォーム製のものに限定されない。
【００２５】
次に、実施例1の床断熱工法について、図５を参照しながら説明する。
【００２６】
実施例１の床断熱工法は、上記した実施例１の床断熱構造を実施するための工法である。
【００２７】
先ず、床梁１に横架された複数の床小梁２，・・・と床梁１との各接合部としての接合部材５に、その上方から下部に受け部３ａ，３ａを有する受け具３をそれぞれ嵌め込み設置する。
【００２８】
そして、複数の床小梁２，・・・の下面と受け具３，・・・の受け部３ａ，・・・の上面との間に、板状の断熱材４を床小梁２と直交する横方向から挿入して支持させる。
【００２９】
こうして、図１に示したような実施例１の床断熱構造が完成する。
【００３０】
なお、実施例１では、板状の断熱材４を３枚用いたが、この板状の断熱材４の１枚の長さは、複数の床小梁２，・・・にわたる長さであればよいので、これに限定されない。
【００３１】
このように構成された実施例１の床断熱構造及び床断熱工法は、板状の断熱材４を、複数の床小梁２，・・・の下面と、床小梁２，・・・と床梁１との各接合部を形成する接合部材５にそれぞれ嵌め込み設置された受け具３の受け部３ａとの間に支持して設置する構成なので、床構造の略全面に断熱性を持たせるに際し、従来の技術に比べて、大変施工性に優れている。
【実施例２】
【００３２】
次に、実施例２の床断熱構造について説明する。
【００３３】
実施例２の床断熱構造は、図６、図７に示したように、床梁１に複数の床小梁２，・・・を横架した床構造の全面に断熱性を持たせる床断熱構造である。複数の床小梁２，・・・と床梁１との各接合部としての接合部材５，・・・にそれぞれ設置された下部に受け部３ａを有する受け具３，・・・と、複数の床小梁２，・・・下部の下面と受け具３，・・・の受け部３ａ，・・・との間に支持されて設置された板状の断熱材４とを備えるとともに、複数の床小梁２，・・・の各間において、板状の断熱材４の上面に、梁間断熱材６，・・・が設けられた構成とされている。
【００３４】
すなわち、複数の床小梁２，・・・の各間において、板状の断熱材４の上面に、梁間断熱材６，・・・が設けられていることが、実施例１と異なる。なお、他の構成は、実施例１と同様であるので、対応する構成に同一符号を付して説明を省略する。
【００３５】
ここで、梁間断熱材６としては、細繊維グラスウール製等の安価な繊維系の断熱材が好適に使用される。但し、この梁間断熱材６は、必要とされる断熱性能を発揮するものであればよいので、細繊維グラスウール製のものに限定されない。
【００３６】
次に、実施例２の床断熱工法について、実施例１の図５及び図８を参照しながら説明する。
【００３７】
実施例２の床断熱工法は、上記した実施例２の床断熱構造を実施するための工法である。
【００３８】
先ず、図５に示したように、床梁１に横架された複数の床小梁２，・・・と床梁１との各接合部としての接合部材５に、その上方から下部に受け部３ａ，３ａを有する受け具３をそれぞれ嵌め込み設置する。
【００３９】
そして、複数の床小梁２，・・・の下面と受け具３，・・・の受け部３ａ，・・・の上面との間に、板状の断熱材４を床小梁２と直交する横方向から挿入して支持させる。
【００４０】
さらに、図８に示したように、複数の床小梁２，・・・の各間において、板状の断熱材４の上面に、梁間断熱材６，・・・を設置する。
【００４１】
こうして、図６に示したような実施例２の床断熱構造が完成する。
【００４２】
このように構成された実施例２の床断熱構造及び床断熱工法は、上記した実施例１の効果に加え、複数の床小梁２，・・・の各間において、板状の断熱材４の上面に、梁間断熱材６，・・・を床構造の全面に断熱性を持たせるように設置するので、比較的高価な押出法ポリスチレンフォーム製等の板状の断熱材４には、強度だけを重視してなるべく薄いものを用い、梁間断熱材６としては、細繊維グラスウール製等の安価な繊維系の断熱材を使用して、経済的により断熱性を高めることができる。
【実施例３】
【００４３】
次に、実施例３の床断熱構造について説明する。
【００４４】
実施例３の床断熱構造は、図９，図１０に示したように、床梁１に複数の床小梁２，・・・を横架した床構造の必要な面に断熱性を持たせる床断熱構造である。複数の床小梁２，・・・と床梁１との各接合部としての接合部材５，・・・にそれぞれ設置された下部に受け部３ａを有する受け具３，・・・と、複数の床小梁２，・・・下部の下面と受け具３の受け部３ａとの間に支持されて設置された板状の断熱材４とを備えている。さらに、この床構造には、中間梁１０で仕切られた断熱性を持たせない部分７が有って、中間梁１０の床小梁２が接合された部位では、中間梁１０に、下部に受け部８ａを有する中間受け具８が設置されている。また、板状の断熱材４は、複数の床小梁２，・・・の下部と受け具３，・・・及び中間受け具８，・・・の受け部３ａ，・・・及び８ａ，・・・との間に支持され設置された構成とされている。
【００４５】
すなわち、この床構造に中間梁１０で仕切られた玄関タタキ、エレベータピット等の断熱性を持たせない部分７が有り、中間梁１０の床小梁２が接合された部位では、中間梁１０に、受け具３の代わりに、下部に受け部８ａを有する中間受け具８が設置されていることが、実施例１と異なる。なお、他の構成は、実施例１と同様であるので、対応する構成に同一符号を付して説明を省略する。
【００４６】
ここで、中間受け具８は、図１０、図１１に示したように、中間梁１０の断熱性を持たせない部分７側の面にその上端部を溶接接合等により接合される矩形状の支持部８ｂと、この支持部８ｂの下端部を直角に折り曲げて設けられて板状の断熱材４の下面を受ける受け部８ａとから成り、断面Ｌ字型に構成されている。
【００４７】
また、一例として、この中間受け具８の支持部８ｂの上辺の長さは、床小梁２の幅と同程度である。さらに、支持部８ｂの縦辺の長さは、中間梁１０の高さの３分の１程度の溶接接合等のための接合長さに板状の断熱材４の肉厚を加えた長さである。
【００４８】
この中間受け具８の受け部８ａの長さは、受け具３の受け部３ａと同程度としている。
【００４９】
次に、実施例３の床断熱工法について、実施例１の図５及び図１２を参照しながら説明する。
【００５０】
実施例３の床断熱工法は、上記した実施例３の床断熱構造を実施するための工法である。
【００５１】
先ず、図５に示したように、床梁１に横架された複数の床小梁２，・・・と床梁１との各接合部としての接合部材５に、その上方から下部に受け部３ａ，３ａを有する受け具３をそれぞれ嵌め込み設置する。
【００５２】
また、中間梁１０の床小梁２，・・・が接合された各部位では、中間梁１０の断熱性を持たせない部分７側に支持部８ｂを溶接接合等により接合して、受け部８ａを有する中間受け具８をそれぞれ設置する。
【００５３】
そして、複数の床小梁２，・・・の下面と受け具３，・・・の受け部３ａ，・・・の上面との間に、板状の断熱材４を床小梁２と直交する横方向から挿入して支持させる。
【００５４】
また、中間梁１０の床小梁２，・・・が接合された各部位においても、複数の床小梁２，・・・の下部と受け具３，・・・及び中間受け具８，・・・の受け部３ａ，・・・及び８ａ，・・・との間に、板状の断熱材４を床小梁２と直交する横方向から挿入して支持させる。
【００５５】
こうして、図９に示したような実施例３の床断熱構造が完成する。
【００５６】
このように構成された実施例３の床断熱構造及び床断熱工法は、上記した実施例１の効果に加え、床構造に中間梁１０で仕切られた断熱性を持たせない部分７が有る場合にも、中間梁１０の床小梁２，・・・が接合された部位では、この中間梁１０に、下部に受け部８ａを有する中間受け具８を設置し、板状の断熱材４を、複数の床小梁２，・・・の下部と受け具３，・・・及び中間受け具８，・・・の受け部３ａ，・・・及び８ａ，・・・との間に支持して設置する構成なので、床構造の必要な面に断熱性を持たせることができる。
【実施例４】
【００５７】
次に、実施例４の床断熱構造について説明する。
【００５８】
実施例３の床断熱構造は、実施例３の図１０及び図１２に示したように、床梁１に複数の床小梁２，・・・を横架した床構造の必要な面に断熱性を持たせる床断熱構造である。複数の床小梁２，・・・と床梁１との各接合部としての接合部材５，・・・にそれぞれ設置された下部に受け部３ａを有する受け具３，・・・と、複数の床小梁２，・・・下部の下面と受け具３の受け部３ａとの間に支持されて設置された板状の断熱材４とを備えている。さらに、この床構造には、中間梁１０で仕切られた断熱性を持たせない部分７が有って、中間梁１０の床小梁２が接合された部位では、中間梁１０に、下部に受け部８ａを有する中間受け具８が設置されている。また、板状の断熱材４は、複数の床小梁２，・・・の下部と受け具３，・・・及び中間受け具８，・・・の受け部３ａ，・・・及び８ａ，・・・との間に支持され設置されている。そのうえ、複数の床小梁２，・・・の各間において、板状の断熱材４の上面に、梁間断熱材６，・・・が設けられた構成とされている。
【００５９】
すなわち、複数の床小梁２，・・・の各間において、板状の断熱材４の上面に、梁間断熱材６，・・・が設けられていることが、実施例３と異なる。なお、他の構成は、実施例３と同様であるので、対応する構成に同一符号を付して説明を省略する。
【００６０】
ここで、梁間断熱材６としては、実施例２と同様に、細繊維グラスウール製等の安価な繊維系の断熱材が好適に使用される。但し、この梁間断熱材６は、必要とされる断熱性能を発揮するものであればよいので、細繊維グラスウール製のものに限定されない。
【００６１】
次に、実施例４の床断熱工法について、実施例１の図５及び実施例２の図８並びに図１２を参照しながら説明する。
【００６２】
実施例３の床断熱工法は、上記した実施例４の床断熱構造を実施するための工法である。
【００６３】
先ず、図５に示したように、床梁１に横架された複数の床小梁２，・・・と床梁１との各接合部としての接合部材５に、その上方から下部に受け部３ａ，３ａを有する受け具３をそれぞれ嵌め込み設置する。
【００６４】
また、中間梁１０の床小梁２，・・・が接合された各部位では、中間梁１０の断熱性を持たせない部分７側の面に支持部８ｂを溶接接合等により接合して、受け部８ａを有する中間受け具８をそれぞれ設置する。
【００６５】
そして、複数の床小梁２，・・・の下面と受け具３，・・・の受け部３ａ，・・・の上面との間に、板状の断熱材４を床小梁２と直交する横方向から挿入して支持させる。
【００６６】
また、中間梁１０の床小梁２，・・・が接合された各部位においても、複数の床小梁２，・・・の下部と受け具３，・・・及び中間受け具８，・・・の受け部３ａ，・・・及び８ａ，・・・との間に、板状の断熱材４を床小梁２と直交する横方向から挿入して支持させる。
【００６７】
さらに、図８に示したように、複数の床小梁２，・・・の各間において、板状の断熱材４の上面に、梁間断熱材６，・・・を設置する。
【００６８】
こうして、図１２に示したような実施例４の床断熱構造が完成する。
【００６９】
このように構成された実施例４の床断熱構造及び床断熱工法は、上記した実施例３の効果に加え、複数の床小梁２，・・・の各間において、板状の断熱材４の上面に、梁間断熱材６，・・・を床構造の必要な面に断熱性を持たせるように設置するので、比較的高価な押出法ポリスチレンフォーム製等の板状の断熱材４には、強度だけを重視してなるべく薄いものを用い、梁間断熱材６としては、細繊維グラスウール製等の安価な繊維系の断熱材を使用して、経済的により断熱性を高めることができる。
【００７０】
以上、図面を参照して、本発明の最良の実施の形態を詳述してきたが、具体的な構成は、この実施の形態及び実施例に限らず、本発明の要旨を逸脱しない程度の設計的変更は、本発明に含まれる。
【００７１】
例えば、上記した実施例１〜４では、床梁１をＣ型鋼として実施したが、これに限らず、角型鋼のもので実施することもできる。
【図面の簡単な説明】
【００７２】
【図１】実施例１の床断熱構造の概略構成を示す平面図である。
【図２】図１におけるＡ−Ａ線矢視拡大断面図である。
【図３】図１におけるＢ部分の拡大図である。
【図４】本発明に使用される受け具の概略構成を示す斜視図である。
【図５】実施例１の床断熱工法を説明するための斜視図である。
【図６】実施例２の床断熱構造の概略構成を示す平面図である。
【図７】図６におけるＣ−Ｃ線矢視拡大断面図である。
【図８】実施例２の床断熱工法を説明するための斜視図である。
【図９】実施例３の床断熱構造の概略構成を示す平面図である。
【図１０】図９におけるＤ−Ｄ線矢視拡大断面図である。
【図１１】本発明に使用される中間受け具の概略構成を示す斜視図である。
【図１２】実施例４の床断熱構造の概略構成を示す平面図である。
【符号の説明】
【００７３】
１      床梁
２      床小梁
３      受け具
３ａ    受け部
３ｂ    支持部
４      板状の断熱材
５      接合部材
６      梁間断熱材
７      断熱性を持たせない部分
８      中間受け具
８ａ    受け部
８ｂ    支持部
１０    中間梁
【図１】
0004801024.tif 000002
【図２】
0004801024.tif 000003
【図３】
0004801024.tif 000004
【図４】
0004801024.tif 000005
【図５】
0004801024.tif 000006
【図６】
0004801024.tif 000007
【図７】
0004801024.tif 000008
【図８】
0004801024.tif 000009
【図９】
0004801024.tif 000010
【図１０】
0004801024.tif 000011
【図１１】
0004801024.tif 000012
【図１２】
0004801024.tif 000013